(57)【特許請求の範囲】
【請求項１】
、構造体（１０５）と統合したライン（１１０）が受ける振動を減衰させるための偏心クランプアセンブリ（ＥＣＡ）（２００）を備える振動減衰システムであって、
前記ＥＣＡ（２００）は、前記構造体（１０５）上の取付部（１２５）と係合すると共に、かつこのＥＣＡ（２００）は、
前方端部に配置されたねじ切り部（２１１）を有するシャンク部分と、後方端部に配置されたヘッド部分（２１２）とを備えるキー部材（２１０）と；
前記取付部と係合すると共に中央部を有するベース（２２３）と、前記ベースに後方端部が偏心的に取り付けられたシャフト（２２２）と、前記キー部材（２１０）が通過可能ならしめる開口部（２２１）とを備える偏心部材（２２０）と；
空洞と受け部分とカム開口部とを有するカム部材（２３０）であって、前記空洞の内側部分が前記円筒状シャフトの外径より大きく、前記円筒状シャフトに沿って前記カム部材（２３０）が摺動して連通可能になっており、前記受け部分は前記ライン（１１０）と係合するようになっており、前記カム開口部は前記空洞に対してほぼ直角に配置された構成を有するカム部材（２３０）と；
少なくとも１つのショルダが設けられ前記カム部材（２３０）を受ける構造を有する凹部と、前記カム部材によって受けられた前記ライン（１１０）の一部分を固定するクランプアームとを備えるクランプ部材（２４０）であって、このクランプ部材（２４０）の前記ショルダは前記カム部材（２３０）がこのクランプ部材（２４０）を通過してしまうのを防止するが、このクランプ部材（２４０）は、前記偏心部材（２２０）の一部分が通過するのを許すように構成されたクランプ部材（２４０）と；
前記凹部に対してほぼ直角に配置されたクランプ部材開口部とを備え、さらに
前記ＥＣＡ（２００）が、前記取付部（１２５）と係合するように調整して前記ラインを受けることにより、前記構造体（１０５）とライン（１１０）とこのＥＣＡ（２００）とが前記ライン（１１０）が受ける振動のレベルを低減させる統合ユニットを形成することを特徴とするシステム。
【請求項２】
前記ＥＣＡ（２００）が、前記キー部材のねじ切り部と対合するナットを備え、前記偏心部材とカム部材とクランプ部材とを一緒に圧する圧縮力を加えることを特徴とする請求項１記載のシステム。
【請求項３】
少なくとも１つのワッシャをさらに備え、このワッシャが、前記ＥＣＡ（２００）の接続具が締め付けられた後に前記接続具が緩むのを防止するためのラチェット部分を備えると共に、前記ワッシャの外側直径は前記ＥＣＡ（２００）の前記接続具が前記クランプ部材を通過するのを妨げる大きさであることを特徴とする請求項２記載のシステム。
【請求項４】
前記ナットと統合されるロックワッシャをさらに備え、前記ロックワッシャが前記キー部材（２１０）が通過するのを可能にする開口部と、前記ロックワッシャの外側直径の周囲周りに一連の溝とを備え、この溝が前記少なくとも１つのワッシャの前記ラチェット部分と対合することを特徴とする請求項３記載のシステム。
【請求項５】
前記カム部材（２３０）が前記ライン（１１０）を受けるサドルを備え、前記サドル（２５０）が前記ラインの並進移動を制限することを特徴とする請求項１記載のシステム。
【請求項６】
前記クランプ部材（２４０）開口部がねじを備えかつジャッキボルトを受け、前記ジャッキボルト（２６０）が、ヘッド部分、ねじ切りされるシャフト部分、および前記ヘッド部分と前記ねじ切りされるシャフト部分の間に位置決めされる統合されるワッシャ部分を備えることを特徴とする請求項５記載のシステム。
【請求項７】
前記統合されるワッシャ部分が、外側外径の周囲周りに一連の溝を備えることを特徴とする請求項６記載のシステム。
【請求項８】
締め付けられた後、前記ジャッキボルト（２６０）が緩むのを防止するラチェット部分を備える、少なくとも１つのワッシャをさらに備えることを特徴とする請求項７記載のシステム。
【請求項９】
前記統合されるワッシャ部分がラチェット部分と係合し、前記クランプ部材、カム部材、ワッシャ部分およびライン（１１０）が前記ジャッキボルトによって加えられた圧縮荷重によって互いに圧されることを特徴とする請求項８記載のシステム。
【請求項１０】
前記円筒状シャフトの前方端部が、前記ワッシャを前記偏心部材に固定するスロットを備えることを特徴とする請求項１記載のシステム。
【発明の詳細な説明】
【技術分野】
【０００１】
本出願は、一般に原子炉に関し、より詳しくは原子炉圧力容器内の検知ラインが受ける振動のレベルを減衰させるためのシステムに関する。
【背景技術】
【０００２】
原子炉の１つの型式、従来型の沸騰水型原子炉（ＢＷＲ）を図１に示す。原子炉の動作中、原子炉圧力容器（ＲＰＶ）１０の内側を循環する冷却水は、核燃料コア３５内で生じる核分裂によって加熱される。供給水は供給水入口１５および供給水スパージャ２０を介してＲＰＶ１０内に入れられる。この供給水は、ＲＰＶ１０と炉心シュラウド３０の間の環状区域である、降水管アニュラス２５を通り下向きに流れる。
【０００３】
炉心シュラウド３０は、（図１には数個しか図示していない）複数の燃料束アセンブリ４０を含む、核燃料コア３５を取り囲むステンレス鋼の円筒である。頂部ガイド４５および炉心板５０がこの燃料束アセンブリ４０の各々を支持する。
【０００４】
冷却水は、降水管アニュラス２５を通り下向きに流れ、炉心下部プレナム５５に入る。次いでこの炉心下部プレナム５５内の水は、核燃料コア３５を通り上向きに流れる。特に、水は燃料束アセンブリ４０内に入り、沸騰境界層が形成される。水と蒸気の混合物が核燃料コア３５を出て、シュラウドヘッド６５の下の炉心上部プレナム６０に入る。次いでこの蒸気−水混合物は、シュラウドヘッド６５の頂部上のスタンドパイプ７０を通り流れ、水を蒸気から分離する蒸気分離器７５に入る。この分離された水は、降水管アニュラス２５に再循環で戻され、蒸気はＲＰＶ１０から出て蒸気タービン等（図示せず）に流れて行く。
【０００５】
このＢＷＲは、要求出力密度を達成するのに必要な核燃料コア３５を通る強制対流流れを生成する冷却剤再循環システムも含む。水の一部分は、降水管アニュラス２５の下側端部から再循環水出口８０を介して吸われ、再循環ポンプ（図示せず）によって（１つが図１に図示される）複数のジェットポンプアセンブリ８５内に再循環水入口９０を介して強制的に入れられる。このジェットポンプアセンブリ８５は、炉心シュラウド３０の周りに通常円周方向に分配され、必要とされる原子炉炉心流れを供給する。典型的なＢＷＲは、１６から２４基の入口混合器９５を有する。
【０００６】
図１に図示するように、従来型のジェットポンプアセンブリ８５は、一対の入口混合器９５を備える。各入口混合器９５はこの混合器に溶接されたエルボを有し、このエルボが再循環ポンプ（図示せず）から入口ライザを介して加圧された駆動水を受け取る。入口混合器９５の１つの型式は、入口混合器軸（不図示）周りに等しい角度で円周方向に分配された５本ノズルのセットを備える。この場合、各ノズルはノズル出口のところで半径方向内向きにテーパが付いている。この収束ノズルがジェットポンプアセンブリ８５を付勢する。２次入口開口部（図示せず）は、ノズル出口の半径方向外側に存在する。したがって、水ジェットがノズルを出るとき、降水管アニュラス２５からの水はこの２次入口開口部を介して入口混合器９５内に引き込まれ、次いで再循環ポンプからの水との混合がそこで起きる。次いでこの水はディフューザ１０５内に流入する。
【０００７】
各ジェットポンプアセンブリ８５は、ディフューザ１０５の頂部の複数の圧力タップおよびＲＰＶ１０外側に配置された計測器（不図示）と流体連通する（図２に図示）検知ライン１１０を有する。これらの検知ライン１１０によって、炉心流れを測定し監視するのが可能になる。ジェットポンプアセンブリ８５を通るかつその外側の流れは、原子炉システム内の様々な源からの圧力変動を含む。これらの圧力変動は、検知ライン配管配管１１０の１つ以上の固有振動モードに近い周波数を有する場合がある。検知ライン１１０が受けるこの振動モードは、検知ライン配管１１０をディフューザ１０５に取り付ける支持ブロック１１５の間隔および剛性によって変わる。この圧力変動に加えて、検知ライン配管１１０の１つ以上の固有振動モードに近い周波数を持っているかもしれない他の振動源もあり得る。発生する励起振動数が検知ライン配管１１０の固有振動数に近いときは、特定の位置で、配管１１０の振動が支持取付具に荷重を加える。これが繰り返し疲労クラック、ならびに配管１１０および支持ブロック１１５への溶接取付具両方の破壊を引き起こしてきた。これは炉心流れの指示の喪失に結果としてなり、プラントシャットダウンを必要とする可能性がある。
【０００８】
現在は、ＲＰＶ１０の作業者は、検知ライン１１０が受ける振動モードを減衰させるシステムを使用する。この現行のシステムは、ライン１１０の振動を減衰させるまたは周波数を変更するための１つ以上の追加の指示ブロック１１５を組み込む。
【０００９】
振動を減衰させるための現行知られたシステムについて、いくつかの起こり得る問題点が存在する。現行知られたシステムは特別注文であり、そのために、ディフューザ１０５および検知ライン１１０の現在の状態での正確な測定値を必要とする。これらのシステムは、設置中に検知ライン１１０を屈曲させる可能性もある。これらのシステムは、一般により長い設置時間を要し、作業者を放射能により長い時間に曝す。
【先行技術文献】
【特許文献】
【００１０】
【特許文献１】米国特許第５７５２８０７号公報
【特許文献２】米国特許第６４３５８３９号公報
【発明の概要】
【発明が解決しようとする課題】
【００１１】
前述の理由のために、検知ライン１１０が受ける振動を減衰させるための新たなシステムが求められている。このシステムは、ディフューザ１０５などの既存の形態の正確な測定値を必要とすべきではない。このシステムは、様々な形態に適用可能であり、設置後の調整が可能であるべきである。このシステムは、検知ライン１１０を屈曲させるべきではない。このシステムは、注文生産構成部品を必要とすべきではない。このシステムは、設置時間を減少させ、放射能への作業者の暴露を低下させるべきである。
【課題を解決するための手段】
【００１２】
本発明の一実施形態によれば、偏心クランプアセンブリ（ＥＣＡ）を備える、構造体と統合されるラインが受ける振動を減衰させるためのシステムが提供され、このＥＣＡは構造体上の取付部と係合し、かつこのＥＣＡは、前方端部に配置されたねじ切り部および後方端部に配置されたヘッド部分を備えるシャンク部分を備えるキー部材と；取付部と係合しかつ中央部を備えるベースと、このベースに後方端部が偏心的に取り付けられたシャフトと、キー部材が偏心部材を通過するのを可能にする、偏心部材を貫通する開口部とを備える偏心部材と；空洞の内側部分が円筒状シャフトの外径より大きく、円筒状シャフトに沿ってカム部材が摺動可能に連通するのを可能にする空洞と、ラインと係合する受け部分と、空洞に対してほぼ直角に配置されたカム開口部とを備えるカム部材と；カム部材を受ける凹部であって、カム部材がクランプ部材を通過するのを防止する少なくとも１つのショルダを有し、かつクランプ部材が偏心部材の一部分が通過するのを可能にする、凹部と、カム部材によって受けられたラインの一部分を固定するクランプアームとを備えるクランプ部材と；凹部にほぼ直角に配置されたクランプ部材開口部とを備え、かつこのＥＣＡが取付部と係合するように順応しかつラインを受け、構造体、ライン、およびＥＣＡが、ラインが受ける振動のレベルを低減させる統合ユニットを形成するのを可能にする。
【００１３】
本発明の別の実施形態によれば、原子炉圧力容器内で検知ラインが受ける振動を減衰させるためのシステムが提供され、このシステムは、ジェットポンプアセンブリと、入口ライザと、ディフューザと、ディフューザに隣接して少なくとも１つの支持ブロックによって位置決めされる検知ラインと、ディフューザ上の取付部と係合する偏心クランプアセンブリ（ＥＣＡ）とを備え、このＥＣＡは、前方端部に配置されたねじ切り部および後方端部に配置されたヘッド部分とを備えるシャフトを備えるキーと；取付部と係合しかつ中央部を備えるベースと、このベースに後方端部が偏心的に取り付けられた円筒状シャフトと、キーが偏心部を通過するのを可能にする、偏心部を貫通する開口部を備える偏心部と；内径が円筒状シャフトの外径より大きく、円筒状シャフトに沿ってカムが移動するのを可能にする空洞と、検知ラインを受ける受け部分と、空洞に隣接して配置されたカム開口部とを備えるカムと；カムを受ける凹部であって、カムがクランプを通過するのを防止する少なくとも１つのショルダを有し、かつクランプが偏心部の一部分が通過するのを可能にする、凹部とカムによって受けられた検知ラインの一部分を固定するクランプアームとを備えるクランプと；凹部に隣接して配置されたクランプ開口部とを備え、かつこのＥＣＡが取付部と係合するように複数方向に調整可能でありかつ検知ラインを受け、ディフューザ、検知ライン、およびＥＣＡが統合するのを可能にし、それが検知ラインが受ける振動を低減させる。
【図面の簡単な説明】
【００１４】
【図１】本発明の一実施形態が動作する環境の概略図である。
【図２】本発明の一実施形態による、図１に図示するジェットポンプアセンブリの、部品を取り外した概略立面図である。
【図３】本発明の一実施形態による、偏心クランプアセンブリの概略分解等角投影図である。
【図４】本発明の一実施形態による、組み立てられた偏心クランプアセンブリの概略等角投影図である。
【図５Ａ】本発明の代替実施形態による、偏心クランプアセンブリの概略平面図、立面図、および横断面図である。
【図５Ｂ】本発明の代替実施形態による、偏心クランプアセンブリの概略平面図、立面図、および横断面図である。
【図５Ｃ】本発明の代替実施形態による、偏心クランプアセンブリの概略平面図、立面図、および横断面図である。
【図５Ｄ】本発明の代替実施形態による、偏心クランプアセンブリの概略平面図、立面図、および横断面図である。
【図６Ａ】本発明の代替実施形態による、ジェットポンプアセンブリ上に設置された偏心クランプアセンブリの概略立面図、詳細図および横断面図である。
【図６Ｂ】本発明の代替実施形態による、ジェットポンプアセンブリ上に設置された偏心クランプアセンブリの概略立面図、詳細図および横断面図である。
【図６Ｃ】本発明の代替実施形態による、ジェットポンプアセンブリ上に設置された偏心クランプアセンブリの概略立面図、詳細図および横断面図である。
【図６Ｄ】本発明の代替実施形態による、ジェットポンプアセンブリ上に設置された偏心クランプアセンブリの概略立面図、詳細図および横断面図である。
【図６Ｅ】本発明の代替実施形態による、ジェットポンプアセンブリ上に設置された偏心クランプアセンブリの概略立面図、詳細図および横断面図である。
【発明を実施するための形態】
【００１５】
本明細書では特定の用語が便宜のためにのみ使用され、本発明の限定として理解すべきではない。例えば、「上側」、「下側」、「左」、「前面」、「右」、「水平」、「垂直」、「上流側」、「下流側」、「前方」、および「後方」などの言語は、図に示す形態を単に記述する。実際、これらの構成部品は任意の方向に向けることができ、したがってこの用語は、そうではないと特に特定されない限りそのような変形形態を包含すると理解すべきである。
【００１６】
本発明の一実施形態は、ジェットポンプアセンブリ８５に連結される検知ラインが受ける振動のレベルを減少させることができるシステムの形態を取る。本発明の一実施形態は、検知ラインをジェットポンプアセンブリ８５と連結する、追加の支持部を一般的に加える少なくとも１つの偏心クランプアセンブリ（ＥＣＡ）を提供する。設置後、この（複数の）ＥＣＡは、検知ラインが受ける振動の振幅を減少させ、かつ／または振動の周波数を変更させることができる。
【００１７】
本発明は、限定ではなく、少なくとも１つの独立した構造体に連結される、パイプ、ケーブル、配管等などのラインが受ける振動のレベルを減少させる技術的効果を有する。この構造体は、振動を発生させるかつ／または振動を受ける装置である。例えば、限定ではなく、この装置には、ジェットポンプアセンブリ８５、蒸気発生器、パイプ、圧力容器、熱交換器、ポンプ、凝縮器、タンク等が含まれる。本発明は、新たな位置のところでこのラインに追加の支持を与え、または、限定ではなく、スタンドオフなどの既存の支持ブロックを交換することができ、それは、この構造体が励起されるとき共鳴が起きるのを避けるように、固有周波数を変更することができる。
【００１８】
図を再度参照すると、そこでは様々な番号がいくつかの図を通して同様な部品を示す。図２は、図１のジェットポンプアセンブリ８５の概略立面図であり、かつ本発明の一実施形態による、検知ライン１１０上に設置される偏心クランプアセンブリ２００も示す。
【００１９】
少なくとも１つの検知ライン１１０を複数の支持ブロック１１５によってジェットポンプアセンブリ８５に搭載することができる。偏心クランプアセンブリ（ＥＣＡ）２００は、検知ライン１１０をディフューザ１０５にクランプする。このＥＣＡ２００は、ジェットポンプアセンブリ８５、検知ライン１１０、および支持部ロック１１５を結合する。これが、ジェットポンプアセンブリ８５から検知ライン１１０が受け取る振動の影響を減少させる。本発明の一実施形態では、ディフューザ１０５は振動レベルを減少させるのに単一のＥＣＡ２００しか必要としない。本発明の代替の実施形態では、ディフューザ１０５は振動レベルを減少させるのに多数のＥＣＡ２００を必要とする。
【００２０】
図３は、本発明の一実施形態による偏心クランプアセンブリ２００の概略分解等角投影図である。このＥＣＡ２００の一実施形態は、キー部材２１０、偏心部材２２０、カム部材２３０、クランプ部材２４０、サドル２５０、ジャッキボルト２６０、ＥＣＡ連結具２７０、および少なくとも１つのワッシャ（２８０，２８０）を含むことができる。
【００２１】
キー部材２１０によって、ＥＣＡ２００を組み立てかつ固定するのが可能になる。本発明の一実施形態では、このキー部材２１０は、前方端部に配置されたねじ切り部分を有するシャンク部２１１、および後方端部に配置されたヘッド部２１２を含む。キー部材２１０は、ＥＣＡ２００構成部品が上に直接的にまたは間接的に組み立てられる表面を提供する。構成部品が結合、係合、組立等がされた後、このキー部材２１０は構成部品を定位置に固定する手段も提供する。ヘッド部２１２の先端部の一部は、取付部１２５（例えば、図６Ｄに示す）に結合可能である。この先端部分２１２は、図６Ｄに図示された取付部１２５内に挿入可能で、かつその中で回転可能な形状を有する。本発明の代替実施形態では、この先端部分は取付部１２５上の対合する一連の刻み目またはねじと係合する一連の刻み目またはねじであってもよい。キー部材２１０は、少なくとも１つの物品を構造体に結合するために使用されるＴボルト、トグルボルト、ボルトまたは他の構成部品に似た全体的な形状を有するものであってよい。
【００２２】
偏心部材２２０は、ディフューザ１０５に結合されると、その軸方向および接線方向に調節する能力をＥＣＡ２００に与える。これは、取付部１２５の臨界的に高精度の測定を不要とすることによって使用者に利益をもたらす。この偏心部材２２０は、取付部１２５と係合するベース２２３と、後方部分がベース２２３に偏心的に取り付けられた円筒状シャフト２２２と、偏心部材２２０の全長を貫通する開口部２２１とを有することができ、例えば円筒状孔などのような、この開口部２２１によって、キー部材２１０を偏心部材２２０の全長にわたって通すことが可能になる。
【００２３】
カム部材２３０は、ＥＣＡ２００をディフューザ１０５および検知ライン１１０の色々な形態に適用可能にすることができる。使用者は、検知ライン１１０の位置を移動しないで検知ライン１１０を係合させるために、このカム部材２３０を偏心部材２２０のシャフト２２２に沿って摺動させる。このカム部材２３０は、空洞２３３を含みを含むことができ、この空洞２３３の内径は偏心部材２２０のシャフト２２２の外径より大きくされており、カム部材２３０が円筒状シャフト２２２に沿って摺動可能に行き来するのを可能にする。このカム部材２３０は、検知ライン１１０を受ける受け部２３１、ねじ切りされかつ空洞２３３に対してほぼ直角に配置されたカム開口部２３２も含む。図示のように、このカム部材２３０は、検知ライン１１０と対合するような形状を有するサドル２５０を含む。このサドル２５０は、検知ライン１１０の軸や領域を収容できるように回転可能である。このサドル２５０は検知ライン１１０の移動を制限するが、ＥＣＡ２００により大きな柔軟性を加える。サドル２５０は、カム部材２３０上で空洞２３３に対して直角な区域内に配置してもい。
【００２４】
ジャッキボルト２６０およびワッシャ２８０は、カム部材開口部２３２を介してカム部材２３０と係合する。ジャッキボルト２６０は、全体的に、カム部材２３０とサドル２５０を偏心部材２２０上で固定するように働く。このジャッキボルト２６０は、ヘッド部２６１、統合したワッシャ部２６２、およびねじ切りされたシャフト部２６３を含む。統合したワッシャ部２６３の外周は、一連の溝、刻み目、ギザギザ等を含むことができる。ワッシャ２８０は、円盤状の形状を有し、かつラチェット部を含む。ワッシャ２８０のこのラチェット部は、ジャッキボルト２６０の上記一連の溝（または同様なもの）と係合する。この係合は、ジャッキボルト２６０が締め付けられた後、ジャッキボルト２６０が緩むのを防止する。
【００２５】
クランプ部材２４０は、検知ライン１１０をカム部材２３０にクランプする。このクランプ部材２４０によって、本発明の一実施形態による、ジャッキボルト２６０、ワッシャ２８０、カム部材２３０、およびサドル２５０を全体的に組み立てるのが可能になる。クランプ部材２４０は、ＥＣＡ２００を組み立てかつ検知ライン１１０およびディフューザ１０５に結合させることができるならば、任意の形状に形成することができる。
【００２６】
図示のように、このクランプ部材２４０は、カム部材２３０を受ける凹部２４１を含む。この凹部２４１は、カム部材２３０がクランプ部材２４０を通過してしまうのを防止するための少なくとも１つのショルダを有しても良い。クランプ部材２４０は、偏心部材２２０の一部が通過するのは許す。クランプ部材２４０は、検知ライン１１０の一部を固定するクランプアーム２４２も含んでもよい。このクランプ部材２４０は、凹部２４１に対してほぼ直角に配置されたクランプ部材開口部も含むことができる。この開口部は、ジャッキボルト２６０のねじ切り部と対合するようにねじ切りすることができ、それによってジャッキボルト２６０が、偏心部材２２０と係合するためにワッシャ２８０およびカム部材２３０を通過するのが可能になる。本発明の代替実施形態では、カム部材開口部に隣接する側面は、クランプ部材２４０上にワッシャ２８０を配置するのを助けるために、スロットまたは蟻継ぎを含むことができる。
【００２７】
ＥＣＡ接続具２７０および（前に説明した）ワッシャ２８０は、キー部材２１０上のねじ切り部と統合することができる。共同で、これらの構成部品はＥＣＡ２００を定位置を固定する圧縮荷重を伝達する。図３に図示するように、このＥＣＡ接続具２７０は、ロックワッシャ部と統合したねじ切りされたナットを形成することができる。このロックワッシャ部は全体的に円盤状の形状を備え、キー部材２１０の一部の通過を可能にすることができる開口部を含むことができる。このロックワッシャは、説明したように、ワッシャ２８０のラチェット部と対合する一連の溝、刻み目、等を外径の周囲周りに含むこともできる。この外径は十分大きく、ＥＣＡ接続具２７０がクランプ部材２４０を通り移動するのを防止する。組み立てられるとき、このＥＣＡ接続具２７０は、偏心部材２２０の位置をキー部材２１０上に固定する圧縮力をＥＣＡ２００に加える。
【００２８】
図４は、本発明の一実施形態による偏心クランプアセンブリ２００の概略等角投影図である。この場合は、図３のＥＣＡ２００が組み立てられている。それぞれのワッシャ２８０を有するＥＣＡ接続具２７０、およびジャッキボルト２６０の係合が図示されている。ジャッキボルト２６０上の、かつＥＣＡ接続具２７０上の一連の溝は、各ワッシャ２８０上のラチェット部と対合する。論じたように、この対合は、ＥＣＡ２００の設置の後、ジャッキボルト２６０および接続具２７０が緩むのを防止することができる。
【００２９】
図５Ａ〜５Ｄ、集合的に図５は、本発明の代替実施形態による、偏心クランプアセンブリ２００の平面、立面および横断面を示す概略図である。図５Ａは、図４の組み立てられたＥＣＡ２００の側平面図を示す。この場合は、キー部材２１０は、後方端部に配置されたｔ字形状を含む。このｔ字形状は、説明したように、取付部１２５と係合することができる。ｔ字形状のサイズは、取付部１２５のサイズおよび形状に基づいて標準化することができる。図５Ｂは、図５Ａの線Ａ−Ａに沿った横断面図を示す。図５Ｂは、クランプ部材２４０の一部分がどのように、（図５に図示されない）検知ライン１１０をＥＣＡ２００内で固定する、サドル２５０と重なる傾向にあるかを特に示す。図５Ｃおよび図５Ｄはそれぞれ、ＥＣＡ２００の追加の平面図および立面図を示し、使用者がＥＣＡ２００を理解するのを助けることができる。
【００３０】
図６Ａ〜６Ｄは、本発明の代替実施形態による、ジェットポンプアセンブリ８５上に設置される偏心クランプアセンブリ２００の立面、詳細および横断面を示す概略図である。図６Ａは、典型的な動作環境内に設置されるＥＣＡ２００の立面図を具体的に示す。この場合、このＥＣＡ２００は、ディフューザ１０５に結合される検知ライン１１０に追加の支持を与える。使用者は、（複数の）ＥＣＡ２００をスタンドオフブラケット１２０の間に配置することができる。図６Ｂは、図６Ａ内の詳細Ｂ−Ｂの拡大図を示す。
【００３１】
図６Ｃは、図６Ｂの線Ｃ−Ｃに沿った、部分的に横断面の、断面図を示す。この場合、偏心部材２２０はディフューザ１０５と適度に面一で嵌合する。これはディフューザ１０５の内側と外側部分の間の漏れを最小限にする。図６Ｃに、カム部材２３０、クランプ部材２４０、サドル２５０、および検知ライン１１０の係合も示されている。論じたように、アーム等などのクランプ部材２４０の一部は、ＥＣＡ接続具２７０によって供給されるクランプ力の一部を検知ライン１１０に伝達する。
【００３２】
図６Ｄは、図６Ｃの線Ｄ−Ｄに沿った横断面図を示す。この場合、キー部材２１０、および偏心部材２２０の取付部１２５との係合が示されている。ｔ字形ボルトなどのキー部材２１０の一部は、取付部１２５と係合する。この場合、使用者はキー部材２１０を取付部１２５内に挿入し、それを回転させることができる。次いで偏心部材２２０が取付部１２５を取り囲み、ＥＣＡ２００がディフューザ１０５上に締め付けられるとき、取付部１２５と偏心部材２２０の間にシール等を形成することができる。
【００３３】
図６Ｅは、図６Ｂの線Ｅ−Ｅに沿った断面図を示す。図６Ｂは、ディフューザ１０５上の取付部１２５を示す。本発明の一実施形態では、この取付部１２５はスロットと座ぐり溝（ｓｐｏｔｆａｃｅ  ｇｒｏｏｖｅ）（本明細書ではこの後「スロット面（ｓｌｏｔ−ｆａｃｅ）」）であることができる。このスロット面は、ディフューザ１０５の外側直径内に機械加工することができる。このスロット部によって、キー部材２１０の挿入および取り扱いが可能になる。この座ぐり溝によって、ディフューザ１０５の内側直径から外側直径への漏れを最小限にするための、平らなシール表面を作り出すことが可能になる。このスロット面は、偏心部材２２０の中央線／軸として働くことができる。
【００３４】
本発明の構成部品は、ＥＣＡ２００が曝される動作環境に耐えることができる任意の材料で形成することができる。
【００３５】
使用では、偏心部材２２０によって、検知ライン１１０に対する取付部１２５のスロット面の円周方向位置決めが、決定的に重要な測定値ではないようにすることが可能になる。例えば、限定ではなく、この円周方向位置は±６．３５ミリメートル（．２５０インチ）以内であることができる。偏心部材２２０が回転させられるとき、カム部材２３０も回転し検知ライン１１０の軸との位置合わせに入ることができる。次に、サドル２５０を検知ライン１１０を受けるように調整することができる。次に、ディフューザ１０５からの検知ライン１１０の距離の変動に対処するために、カム部材２３０を偏心部材２２０の円筒状シャフト部に沿って操作することができる。偏心部材２２０が回転させられ、カム部材２３０が位置決めされた後、キー部材２１０はＥＣＡ接続具２７０をワッシャ２８０内に締め込むことによって固定することができる。最後に、ジャッキボルト２６０をワッシャ２８０に締め込み、クランプ部材２４０を検知ライン１１０に固定することができる。
【００３６】
本発明をそのいくつかの例示的な実施形態のみに対してかなりの詳細で示しかつ説明してきたが、本発明のこの新規な教示および利点から実質的に逸脱することなく、特に前述の教示に照らして開示された実施形態に対して様々な改変、省略、追加を行うことができるので、我々は本発明を本実施形態に限定することを意図していないことを当業者は理解されたい。したがって我々は、以下の特許請求の範囲によって定義される本発明の趣旨および範囲内に含まれることができる全てのそのような改変、省略、追加および均等物を包含することを意図している。
【符号の説明】
【００３７】
１０  原子炉圧力容器
１５  供給水入口
２０  供給水スパージャ
２５  降水管アニュラス
３０  炉心シュラウド
３５  核燃料コア
４０  燃料束アセンブリ
４５  頂部ガイド
５０  コアプレート
５５  炉心下部プレナム
６０  炉心上部プレナム
６５  シュラウドヘッド
７０  スタンドパイプ
７５  蒸気分離器
８０  再循環水出口
８５  ジェットポンプアセンブリ
９０  再循環水入口
９５  入口混合器
１００  入口ライザ
１０５  ディフューザ
１１０  検知ライン
１１５  支持ブロック
１２０  スタンドオフブラケット
１２５  取付部
２００  偏心クランプアセンブリ（ＥＣＡ）
２１０  カム部材
２２０  キー部材
２３０  偏心部材
２４０  クランプ部材
２５０  サドル
２６０  ジャッキボルト
２７０  ＥＣＡ接続具
２８０  ワッシャ
【図１】
0005351610.tif 000002
【図２】
0005351610.tif 000003
【図３】
0005351610.tif 000004
【図４】
0005351610.tif 000005
【図５Ａ】
0005351610.tif 000006
【図５Ｂ】
0005351610.tif 000007
【図５Ｃ】
0005351610.tif 000008
【図５Ｄ】
0005351610.tif 000009
【図６Ａ】
0005351610.tif 000010
【図６Ｂ】
0005351610.tif 000011
【図６Ｃ】
0005351610.tif 000012
【図６Ｄ】
0005351610.tif 000013
【図６Ｅ】
0005351610.tif 000014